(57)【要約】【課題】液体導入手段の内部に毛管力により保持されている検体又は試薬が、適切なタイミングにおいて流体回路に流入可能な検査チップを提供する。【解決手段】検査チップ２には、開口３０１Ａから挿入されたキャピラリを収容する検体導入口が設けられる。検体導入口に対して開口３０１Ａとは反対側に、検体が保持される検体保持部１１１が設けられる。検体保持部１１１に保持された検体は、検体が測定部１９０に向けて案内される検体供給部１１２に、流路入口１２０を介して流入可能である。流路入口１２０は、検体導入口から検体保持部１１１に向かう方向において検体保持部１１１よりも検体導入口側に設けられる。【選択図】図２
2014167452.tif 000002
【特許請求の範囲】
【請求項１】
検体又は試薬を毛管力により内部に保持する液体導入手段を挿入可能な開口を有し、前記開口から挿入された前記液体導入手段が収容される部位である導入口と、
前記導入口に対して前記開口とは反対側に設けられ、前記導入口に収容された前記液体導入手段から流出する前記検体又は前記試薬が保持される部位である保持部と、
前記検体又は前記試薬が含まれる液体が測定される部位に向けて、前記検体又は前記試薬が案内される流路である流体回路と、
前記保持部に保持された前記検体又は前記試薬が、前記流体回路に流入される開口である流路入口とを備え、
前記流路入口は、前記導入口から前記保持部に向かう方向である注入方向において、前記保持部よりも前記導入口側に設けられることを特徴とする検査チップ。
【請求項２】
前記導入口と前記保持部との間に設けられ、前記注入方向に対して傾斜する面である傾斜面を備えたことを特徴とする請求項１に記載の検査チップ。
【請求項３】
前記検査チップは、第一面、及び前記第一面と対向する第二面を有し、
前記導入口は、前記第一面側に設けられ、
前記保持部、前記流体回路、及び前記流路入口は、前記第二面側に設けられ、
前記傾斜面は、前記第一面から前記第二面に向かう方向に傾斜して、前記第一面側と前記第二面側とを連通することを特徴とする請求項２に記載の検査チップ。
【請求項４】
前記導入口と前記保持部との間に設けられ、前記導入口に収容された前記液体導入手段から流出する前記検体又は前記試薬を、毛管力により保持する部位である毛管部を備えたことを特徴とする請求項１から３のいずれかに記載の検査チップ。
【請求項５】
前記毛管部の前記導入口側の端部に設けられ、前記注入方向に対して傾斜するテーパを備えたことを特徴とする請求項４に記載の検査チップ。
【請求項６】
前記導入口と前記毛管部とは、前記注入方向に連通し、
前記毛管部の前記注入方向と直交する方向の断面は、前記液体導入手段の前記注入方向と直交する方向の断面よりも小さいことを特徴とする請求項４又は５に記載の検査チップ。
【請求項７】
前記毛管部と前記保持部との間に設けられた、前記検体又は前記試薬の流路である接続流路を備え、
前記導入口、前記毛管部、及び前記接続流路は、前記注入方向に連通し、
前記毛管部の前記注入方向と直交する方向の断面は、前記導入口の前記注入方向と直交する方向の断面よりも小さく、
前記導入口の前記注入方向と直交する方向の断面は、前記接続流路の前記注入方向と直交する方向の断面よりも小さいことを特徴とする請求項４から６のいずれかに記載の検査チップ。
【請求項８】
前記保持部から前記流路入口に向けて延びる壁部である入口側壁部を備え、
前記傾斜面は、前記入口側壁部に向かって傾斜することを特徴とする請求項２に記載の検査チップ。
【請求項９】
前記保持部は、前記検体又は前記試薬を毛管力により保持することを特徴とする請求項１から８のいずれかに記載の検査チップ。
【請求項１０】
前記傾斜面の前記第二面側の端部よりも前記保持部側に設けられ、前記第二面において前記第一面とは反対方向に向かって突出する段差又は前記第二面において前記反対方向に向かって傾斜するテーパである狭窄部を備えたことを特徴とする請求項３に記載の検査チップ。
【請求項１１】
前記検査チップは、第一面、及び前記第一面と対向する第二面を有し、
前記流路入口の前記第一面及び前記第二面の対向する方向の幅は、前記保持部の前記第一面及び第二面の対向する方向の幅よりも小さいことを特徴とする請求項１から１０のいずれかに記載の検査チップ。
【請求項１２】
前記検査チップは、第一面、及び前記第一面と対向する第二面を有し、
前記保持部から前記流路入口に向けて延びる壁部である入口側壁部を備え、
前記導入口の前記注入方向の端部から、前記第一面及び前記第二面と平行に延び、且つ、前記注入方向に対して垂直に延びる仮想的な方向は、仮想方向であり、
前記仮想方向と前記入口側壁部とのなす角のうち、前記導入口の前記注入方向の端部と前記流路入口との間に形成される角は、９０度以下であることを特徴とする請求項１から１１のいずれかに記載の検査チップ。
【発明の詳細な説明】
【技術分野】
【０００１】
本発明は、検査対象物の化学的、医学的、又は生物学的な検査を行うための検査チップに関する。
【背景技術】
【０００２】
従来、検体又は試薬を毛管力により内部に保持する液体導入手段を挿入可能な検査チップが知られている。例えば特許文献１に開示のマイクロ流体チップは、キャピラリを収容するための収容部を有する。液体試料を取り込むことができるキャピラリを収容部に挿入するための開口部が、マイクロ流体チップの上面又は下面に形成されている。収容部は、マイクロ流体チップ内に形成された流体回路と接続されている。収容部に収容されたキャピラリに遠心力が付与されると、液体試料がキャピラリから流出して流体回路内に導入される。
【先行技術文献】
【特許文献】
【０００３】
【特許文献１】特開２００９−１４４５０号公報
【発明の概要】
【発明が解決しようとする課題】
【０００４】
上記のようにキャピラリを挿入可能なマイクロチップでは、収容部に対してキャピラリを挿入する方向の下流側に、流体回路の入口が設けられていることがある。この場合、ユーザがキャピラリを収容部に挿入した場合に、キャピラリの内部に保持されている検体又は試薬の一部が、流体回路の入口に流入する可能性がある。つまり、意図しないタイミングにおいて、検体又は試薬が流体回路に流入する可能性がある。この場合、例えば検体又は試薬が他の液体と正確に混合されず、検査精度が悪化する可能性があった。
【０００５】
本発明の目的は、液体導入手段の内部に毛管力により保持されている検体又は試薬が、適切なタイミングにおいて流体回路に流入可能な検査チップを提供することである。
【課題を解決するための手段】
【０００６】
本発明の一態様の検査チップは、検体又は試薬を毛管力により内部に保持する液体導入手段を挿入可能な開口を有し、前記開口から挿入された前記液体導入手段が収容される部位である導入口と、前記導入口に対して前記開口とは反対側に設けられ、前記導入口に収容された前記液体導入手段から流出する前記検体又は前記試薬が保持される部位である保持部と、前記検体又は前記試薬が含まれる液体が測定される部位に向けて、前記検体又は前記試薬が案内される流路である流体回路と、前記保持部に保持された前記検体又は前記試薬が、前記流体回路に流入される開口である流路入口とを備え、前記流路入口は、前記導入口から前記保持部に向かう方向である注入方向において、前記保持部よりも前記導入口側に設けられることを特徴とする。
【０００７】
上記態様に係る検査チップは、開口から挿入された液体導入手段を収容する導入口が設けられる。導入口に対して開口とは反対側に、検体又は試薬が保持される保持部が設けられる。保持部に保持された検体又は試薬は、検体又は試薬が測定部位に向けて案内される流体回路に、流路入口を介して流入可能である。流路入口は、注入方向において保持部よりも導入口側に設けられる。これにより、導入口に収容された液体導入手段から流出する検体又は試薬は、流路入口に流入する前に保持部に保持される。その結果、液体導入手段から流出する検体又は試薬は、適切なタイミングにおいて保持部から流路入口に移動して、流体回路に流入することができる。
【０００８】
前記導入口と前記保持部との間に設けられ、前記注入方向に対して傾斜する面である傾斜面を備えてもよい。
【０００９】
前記検査チップは、第一面、及び前記第一面と対向する第二面を有し、前記導入口は、前記第一面側に設けられ、前記保持部、前記流体回路、及び前記流路入口は、前記第二面側に設けられ、前記傾斜面は、前記第一面から前記第二面に向かう方向に傾斜して、前記第一面側と前記第二面側とを連通してもよい。
【００１０】
前記導入口と前記保持部との間に設けられ、前記導入口に収容された前記液体導入手段から流出する前記検体又は前記試薬を、毛管力により保持する部位である毛管部を備えてもよい。
【００１１】
前記毛管部の前記導入口側の端部に設けられ、前記注入方向に対して傾斜するテーパを備えてもよい。
【００１２】
前記導入口と前記毛管部とは、前記注入方向に連通し、前記毛管部の前記注入方向と直交する方向の断面は、前記液体導入手段の前記注入方向と直交する方向の断面よりも小さくてもよい。
【００１３】
前記毛管部の前記保持部側の端部と前記保持部との間に設けられた、前記検体又は前記試薬の流路である接続流路を備え、前記導入口、前記毛管部、及び前記接続流路は、前記注入方向に連通し、前記毛管部の前記注入方向と直交する方向の断面は、前記導入口の前記注入方向と直交する方向の断面よりも小さく、前記導入口の前記注入方向と直交する方向の断面は、前記接続流路の前記注入方向と直交する方向の断面よりも小さくてもよい。
【００１４】
前記保持部から前記流路入口に向けて延びる壁部である入口側壁部を備え、前記傾斜面は、前記入口側壁部に向かって傾斜してもよい。
【００１５】
前記保持部は、前記検体又は前記試薬を毛管力により保持してもよい。
【００１６】
前記傾斜面の前記第二面側の端部よりも前記保持部側に設けられ、前記第二面において前記第一面とは反対方向に向かって突出する段差又は前記第二面において前記反対方向に向かって傾斜するテーパである狭窄部を備えてもよい。
【００１７】
前記検査チップは、第一面、及び前記第一面と対向する第二面を有し、前記流路入口の前記第一面及び前記第二面の対向する方向の幅は、前記保持部の前記第一面及び第二面の対向する方向の幅よりも小さくてもよい。
【００１８】
前記検査チップは、第一面、及び前記第一面と対向する第二面を有し、前記保持部から前記流路入口に向けて延びる壁部である入口側壁部を備え、前記導入口の前記注入方向の端部から、前記第一面及び前記第二面と平行に延び、且つ、前記注入方向に対して垂直に延びる仮想的な方向は、仮想方向であり、前記仮想方向と前記入口側壁部とのなす角のうち、前記導入口の前記注入方向の端部と前記流路入口との間に形成される角は、９０度以下であってもよい。
【図面の簡単な説明】
【００１９】
【図１】検査装置１及び制御装置９０を含む検査システム３の構成を示す図である。
【図２】検査チップ２の右上側から見た斜視図である。
【図３】検査チップ２の正面図である。
【図４】検査チップ２の背面図である。
【図５】図３及び図４のＩ−Ｉ線矢視方向断面図である。
【図６】キャピラリ４０１〜４０６が挿入された検査チップ２の背面拡大図である。
【図７】自転角度９０度において公転される検査チップ２の正面図である。
【図８】図７の後、自転角度０度において公転される検査チップ２の正面図である。
【図９】図８の後、自転角度９０度において公転される検査チップ２の正面図である。
【図１０】図９の後、自転角度０度において公転される検査チップ２の正面図である。
【図１１】測定動作後の検査チップ２の正面図である。
【発明を実施するための形態】
【００２０】
本発明を具体化した実施の形態について、図面を参照して説明する。尚、図１は、検査システム３を構成する検査装置１の平面及び制御装置９０の内部の機能ブロックを示している。
【００２１】
＜１．検査システム３の概略構造＞
本発明の実施形態を説明する。図１を参照して、検査システム３の概略構造について説明する。本実施形態の検査システム３は、液体である検体及び試薬を収容可能な検査チップ２と、検査チップ２を用いて検査を行う検査装置１とを含む。検査装置１が検査チップ２から離間した垂直軸線Ａ１を中心として検査チップ２を回転させると、遠心力が検査チップ２に作用する。検査装置１が水平軸線Ａ２を中心に検査チップ２を回転させると、検査チップ２に作用する遠心力の方向である遠心方向が切り替えられる。尚、本実施形態の検査システム３及び検査装置１は、特開２０１２−７８１０７号公報に記載されているように周知の構造であるので、以下の説明では、検査装置１の構造の概略について説明する。
【００２２】
＜２．検査装置１の構造＞
図１を参照して、検査装置１の構造について説明する。以下の説明では、図１の上方、下方、右方、左方、紙面手前側、及び紙面奥側を、それぞれ、検査装置１の前方、後方、右方、左方、上方、及び下方とする。本実施形態では、垂直軸線Ａ１の方向は検査装置１の上下方向であり、水平軸線Ａ２の方向は、検査チップ２が垂直軸線Ａ１を中心として回転される際の速度の方向である。なお、図１は検査装置１の上部筐体３０の天板が取り除かれた状態を示す。
【００２３】
図１に示すように、検査装置１は、上部筐体３０、下部筐体３１、上板３２、ターンテーブル３３、角度変更機構３４、及び制御装置９０を備える。ターンテーブル３３は、後述する上板３２の上側に回転可能に設けられた円盤である。検査チップ２は、ターンテーブル３３の上方に保持される。角度変更機構３４は、ターンテーブル３３に設けられた駆動機構である。この角度変更機構３４は、水平軸線Ａ２を中心に検査チップ２を各々回転させる。上部筐体３０は、後述する上板３２に固定されており、検査チップ２に対して光学測定を行う測定部７が内部に設けられている。制御装置９０は、検査装置１の各種処理を制御するコントローラである。
【００２４】
下部筐体３１の概略構造を説明する。下部筐体３１は、枠部材を組み合わせた箱状のフレーム構造を有する。下部筐体３１の上面には、長方形の板材である上板３２が設けられている。下部筐体３１の内部には、垂直軸線Ａ１を中心にターンテーブル３３を回転させる駆動機構が、次のように設けられている。
【００２５】
下部筐体３１内の左方寄りに、ターンテーブル３３を回転させるための駆動力を供給する主軸モータ３５が設置されている。主軸モータ３５の軸３６は、上方に突出しており、プーリ３７が固定されている。下部筐体３１の中央部には、下部筐体３１の内部から上方に延びる垂直な主軸５７が設けられている。主軸５７は、上板３２を貫通して、下部筐体３１の上側に突出している。主軸５７の上端部は、ターンテーブル３３の中央部に接続されている。
【００２６】
主軸５７は、上板３２の直下に設けられた図示しない支持部材により、回転自在に保持されている。支持部材の下側では、主軸５７にプーリ３８が固定されている。プーリ３７とプーリ３８とに亘って、ベルト３９が掛け渡されている。主軸モータ３５が軸３６を回転させると、プーリ３７、ベルト３９、及びプーリ３８を介して駆動力が主軸５７に伝達される。このとき、主軸５７の回転に連動して、ターンテーブル３３が主軸５７を中心に回転する。
【００２７】
下部筐体３１内の右方寄りに、下部筐体３１の内部において上下方向に延びる図示しないガイドレールが設けられている。図示しないＴ型プレートは、ガイドレールに沿って下部筐体３１内において上下方向に移動可能である。
【００２８】
先述の主軸５７は、内部が中空の筒状体である。図示しない内軸は、主軸５７の内部において上下方向に移動可能な軸である。内軸の上端部は、主軸５７内を貫通してラックギア４３に接続されている。Ｔ型プレートの左端部には、図示しない軸受が設けられている。軸受の内部では、内軸の下端部が回転自在に保持される。
【００２９】
Ｔ型プレートの前方には、Ｔ型プレートを上下動させるためのステッピングモータ５１が固定されている。ステッピングモータ５１の軸５８は後方、すなわち図１では下方側に向けて突出している。軸５８の先端には、図示しない円盤状のカム板が固定されている。カム板の後側の面には、図示しない円柱状の突起が設けられている。突起の先端部は、図示しない溝部に挿入されている。突起は、溝部内を摺動可能である。ステッピングモータ５１が軸５８を回転させると、カム板の回転に連動して突起が上下動する。このとき、溝部に挿入されている突起に連動して、Ｔ型プレートがガイドレールに沿って上下動する。
【００３０】
角度変更機構３４の詳細構造を説明する。角度変更機構３４は、ターンテーブル３３の上面に固定された一対のＬ型プレート６０を有する。各Ｌ型プレート６０は、ターンテーブル３３の中心近傍に固定された基部から上方に延び、且つ、その上端部がターンテーブル３３の径方向外側に向けて延びている。一対のＬ型プレート６０の間には、内軸に固定された図示しないラックギア４３が設けられている。ラックギア４３は、上下方向に長い金属製の板状部材であり、両端面にギアが各々刻まれている。
【００３１】
各Ｌ型プレート６０の延設方向の先端側では、ギア４５を有する水平な支軸４６が回転自在に軸支されている。支軸４６は図示外の装着用ホルダを介して検査チップ２に固定されている。このため、ギア４５の回転に連動して検査チップ２も支軸４６を中心に回転する。ギア４５とラックギア４３との間には、Ｌ型プレート６０により図示略の水平軸線を中心に回転自在に支持されたピニオンギア４４が介在している。ピニオンギア４４は、ギア４５及びラックギア４３にそれぞれ噛合している。ラックギア４３の上下動に連動して、ピニオンギア４４、及びギア４５がそれぞれ従動回転し、ひいては検査チップ２が支軸４６を中心に回転する。
【００３２】
本実施形態では、主軸モータ３５がターンテーブル３３を回転駆動するのに伴って、検査チップ２が垂直軸である主軸５７を中心に回転して、検査チップ２に遠心力が付与される。検査チップ２の垂直軸線Ａ１を中心とした回転を、公転と呼ぶ。一方、ステッピングモータ５１が内軸を上下動させるのに伴って、検査チップ２が水平軸である支軸４６を中心に回転して、検査チップ２に作用する遠心力の方向が相対変化する。検査チップ２の水平軸線Ａ２を中心とした回転を、自転と呼ぶ。
【００３３】
Ｔ型プレートが可動範囲の最下端まで下降した状態では、ラックギア４３も可動範囲の最下端まで下降する。このとき、検査チップ２は、自転角度が０度の定常状態になる。また、Ｔ型プレートが可動範囲の最上端まで上昇した状態では、ラックギア４３も可動範囲の最上端まで上昇する。このとき、検査チップ２は、定常状態から水平軸線Ａ２を中心に１８０度回転した状態になる。つまり、本実施形態では検査チップ２が自転可能な角度幅は、自転角度０度〜１８０度である。
【００３４】
上部筐体３０の詳細構造を説明する。図１に示すように、上部筐体３０は、枠部材を組み合わせた箱状のフレーム構造を有し、上板３２の左部上側に設置されている。より詳細には、上部筐体３０は、ターンテーブル３３の回転中心にある主軸５７からみて、検査チップ２が回転される範囲の外側に設けられている。
【００３５】
上部筐体３０の内部に設けられた測定部７は、測定光を発光する光源７１と、光源７１から発せられた測定光を検出する光センサ７２とを有する。光源７１及び光センサ７２は、検査チップ２の回転範囲の外側において、ターンテーブル３３の前後両側に配置されている。本実施形態では、検査チップ２の公転可能範囲のうちで主軸５７の左側位置が、検査チップ２に測定光が照射される測定位置である。検査チップ２が測定位置にある場合、光源７１と光センサ７２とを結ぶ測定光が、検査チップ２の表面に対して略垂直に交差する。
【００３６】
＜３．制御装置９０の電気的構成＞
図１を参照して、制御装置９０の電気的構成について説明する。制御装置９０は、検査装置１の主制御を司るＣＰＵ９１と、各種データを一時的に記憶するＲＡＭ９２と、制御プログラムを記憶したＲＯＭ９３とを有する。ＣＰＵ９１には、ユーザが制御装置９０に対する指示を入力するための操作部９４と、各種データ、及びプログラムを記憶するハードディスク装置９５と、各種情報を表示するディスプレイ９６とが接続されている。制御装置９０としては、パーソナルコンピュータを用いてもよいし、専用の制御装置を用いてもよい。
【００３７】
さらに、ＣＰＵ９１には、公転コントローラ９７、自転コントローラ９８、及び測定コントローラ９９が接続されている。公転コントローラ９７は、主軸モータ３５を回転駆動させる制御信号を主軸モータ３５に送信することにより、検査チップ２の公転を制御する。自転コントローラ９８は、ステッピングモータ５１を回転駆動させる制御信号をステッピングモータ５１に送信することにより、検査チップ２の自転を制御する。測定コントローラ９９は、測定部７を駆動することにより、検査チップ２の光学測定を実行する。詳細には、測定コントローラ９９は、光源７１の発光、及び光センサ７２の光検出を実行させる制御信号を、光源７１及び光センサ７２に送信する。尚、ＣＰＵ９１が公転コントローラ９７、自転コントローラ９８及び測定コントローラ９９を制御する。
【００３８】
＜４．検査チップ２の構造＞
図２〜図６を参照して、本実施形態に係る検査チップ２の詳細構造を説明する。以下の説明では、図２の上方、下方、左下方、右上方、右下方、及び左上方を、それぞれ、検査チップ２の上方、下方、左方、右方、前方、及び後方とする。
【００３９】
図２に示すように、検査チップ２は一例として前方から見た場合に正方形状であり、所定の厚みを有する透明な合成樹脂の板材２０を主体とする。板材２０の前面２５は、透明の合成樹脂の薄板から構成されたシート２７により封止されている。板材２０の後面２６は、透明の合成樹脂の薄板から構成されたシート２８により封止されている。なお、シート２７，２８は、図２以外では図示を省略している。
【００４０】
図３に示すように、本実施形態の検査チップ２は、前面２５及び後面２６の両面に、検体又は試薬の流路が形成されている。板材２０とシート２７との間には、検査チップ２に封入された液体が流動可能な液体流路１００が形成されている。液体流路１００は、板材２０の前面２５側に所定深さに形成された凹部であり、板材２０の厚み方向である前後方向と直交する方向に延びる。図４に示すように、板材２０とシート２８との間には、検査チップ２に液体を注入するための液体導入部３００と、検査チップ２に注入された液体が流動可能な液体流路２００とが形成されている。液体導入部３００及び液体流路２００は、板材２０の後面２６側に所定深さに形成された凹部であり、板材２０の厚み方向である前後方向と直交する方向に延びる。
【００４１】
＜４−１．液体流路１００の詳細構造＞
図３を参照して、液体流路１００の詳細構造を説明する。液体流路１００は、検体定量流路１１０、試薬定量流路１３０，１５０、共通流路１８０、及び測定部１９０を含む。検体定量流路１１０は、検査チップ２の左部に、試薬定量流路１３０は、検体定量流路１１０の右側に、試薬定量流路１５０は、試薬定量流路１３０の右側、且つ検査チップ２の右部に設けられている。測定部１９０は、検査チップ２の右下部に設けられている。共通流路１８０は、検体定量流路１１０及び試薬定量流路１３０，１５０と、測定部１９０との間に設けられる。
【００４２】
検体定量流路１１０は、検体保持部１１１、検体供給部１１２、検体案内部１１３、検体定量部１１４、通路１１５、検体余剰部１１６、及び通路１１７を含む。検体定量流路１１０の左上部には、板材２０を前後方向に貫通する案内穴３１１が形成されている。案内穴３１１の下部には、後面２６と前面２５とを連通する面である傾斜面３１２が設けられている。後述するが、検体６１は傾斜面３１２に沿って案内穴３１１を移動することにより、図４に示す検体導入口３０１から検体定量流路１１０に流入可能である。
【００４３】
傾斜面３１２の前面２５側の端部は、端部３１２Ａである。端部３１２Ａよりも下方に、上方に開口する凹部である検体保持部１１１が設けられている。検体保持部１１１は、案内穴３１１を介して検体定量流路１１０に流入した検体６１が保持される部位である。検体保持部１１１から右上方向に延びる壁部は、入口側壁部１２１である。入口側壁部１２１の右上端部には、検体供給部１１２に連通する流路入口１２０が設けられている。流路入口１２０は、検体保持部１１１に保持された検体６１が検体供給部１１２に流入される開口である。流路入口１２０の上下方向に亘って、前面２５から前方に突出する段差が設けられている。そのため、流路入口１２０の前後方向の流路幅は、検体保持部１１１の前後方向の流路幅よりも小さい。
【００４４】
検体供給部１１２は、流路入口１２０から下方向に延びる流路である。流路入口１２０は、第一注入方向において検体保持部１１１よりも検体導入口３０１側に設けられる。第一注入方向は、検体導入口３０１に対してキャピラリ４０１が挿入される方向であり、換言すると検体導入口３０１から検体保持部１１１に向かう方向であり、すなわち下方向である。本実施形態の流路入口１２０は、案内穴３１１及び傾斜面３１２よりも上側に設けられる。
【００４５】
検体供給部１１２の下端部は、流路が狭く形成された検体案内部１１３に接続する。検体案内部１１３の下方には、検体定量部１１４が設けられている。検体定量部１１４は、検体６１を定量する部位であり、左下方に凹む凹部である。検体案内部１１３と検体定量部１１４とが連通する部位から、通路１１５が左下方に延び、通路１１７が右上方に延びている。通路１１５は、検体定量部１１４の下方に設けられた検体余剰部１１６まで延びている。検体余剰部１１６は、検体定量部１１４から溢れ出た検体６１が貯留される部位であり、通路１１５の下端部から右方向に設けられた凹部である。通路１１７の右上方の端部は、後述する共通流路１８０に繋がっている。
【００４６】
試薬定量流路１３０は、試薬保持部１３１、試薬供給部１３２、試薬案内部１３３、試薬定量部１３４、通路１３５、試薬余剰部１３６、及び通路１３７を含む。試薬定量流路１３０の左上部には、板材２０を前後方向に貫通する案内穴３１３が形成されている。案内穴３１３の下部には、後面２６と前面２５とを連通する面である傾斜面３１４が設けられている。後述するが、第一試薬６２は傾斜面３１４に沿って案内穴３１３を移動することにより、図４に示す試薬導入口３０３から試薬定量流路１３０に流入可能である
【００４７】
傾斜面３１４の前面２５側の端部は、端部３１４Ａである。端部３１４Ａよりも下方に、上方に開口する凹部である試薬保持部１３１が設けられている。試薬保持部１３１は、案内穴３１３を介して試薬定量流路１３０に流入した第一試薬６２が保持される部位である。試薬保持部１３１から右上方向に延びる壁部は、入口側壁部１４１である。入口側壁部１４１の右上端部には、試薬供給部１３２に連通する流路入口１４０が設けられている。流路入口１４０は、試薬保持部１３１に保持された第一試薬６２が試薬供給部１３２に流入される開口である。試薬供給部１３２は、流路入口１４０から下方向に延びる流路である。流路入口１４０は、第二注入方向において試薬保持部１３１よりも試薬導入口３０３側に設けられる。第二注入方向は、試薬導入口３０３に対してキャピラリ４０３が挿入される方向であり、換言すると試薬導入口３０３から試薬保持部１３１に向かう方向であり、すなわち左下方向である。本実施形態の流路入口１４０は、案内穴３１３及び傾斜面３１４よりも上側に設けられる。
【００４８】
入口側壁部１４１は、先述の入口側壁部１２１及び後述の入口側壁部１６１と比べて、検査チップ２の上下方向に対する傾斜角度が小さい。一例として、入口側壁部１２１及び入口側壁部１６１の上下方向に対する傾斜角度は３０度であるのに対し、入口側壁部１４１の上下方向に対する傾斜角度は１０度である。図４に示す後述の入口側壁部２２１，２４１，２６１の上下方向に対する傾斜角度は、入口側壁部１２１，１６１と同様に３０度である。
【００４９】
試薬供給部１３２の下端部は、流路が狭く形成された試薬案内部１３３に接続する。試薬案内部１３３の下方には、試薬定量部１３４が設けられている。試薬定量部１３４は、第一試薬６２を定量する部位であり、左下方に凹む凹部である。試薬案内部１３３と試薬定量部１３４とが連通する部位から、通路１３５が左下方に延び、通路１３７が右上方に延びている。通路１３５は、試薬定量部１３４の下方に設けられた試薬余剰部１３６まで延びている。試薬余剰部１３６は、試薬定量部１３４から溢れ出た第一試薬６２が貯留される部位であり、通路１３５の下端部から右方向に設けられた凹部である。通路１３７の右上方の端部は、後述する共通流路１８０に繋がっている。
【００５０】
試薬定量流路１５０は、試薬保持部１５１、試薬供給部１５２、試薬案内部１５３、試薬定量部１５４、通路１５５、試薬余剰部１５６、及び通路１５７を含む。試薬定量流路１５０の左上部には、板材２０を前後方向に貫通する案内穴３１５が形成されている。案内穴３１５の下部には、後面２６と前面２５とを連通する面である傾斜面３１６が設けられている。後述するが、第二試薬６３は傾斜面３１６に沿って案内穴３１５を移動することにより、図４に示す試薬導入口３０５から試薬定量流路１５０に流入可能である。
【００５１】
傾斜面３１６の前面２５側の端部は、端部３１６Ａである。端部３１６Ａよりも下方に、上方に開口する凹部である試薬保持部１５１が設けられている。試薬保持部１５１は、案内穴３１５を介して試薬定量流路１５０に流入した第二試薬６３が保持される部位である。試薬保持部１５１から右上方向に延びる壁部は、入口側壁部１６１である。入口側壁部１６１の右上端部には、試薬供給部１５２に連通する流路入口１６０が設けられている。流路入口１６０は、試薬保持部１５１に保持された第二試薬６３が試薬供給部１５２に流入される開口である。試薬供給部１５２は、流路入口１６０から下方向に延びる流路である。流路入口１６０は、第三注入方向において試薬保持部１５１よりも試薬導入口３０５側に設けられる。第三注入方向は、試薬導入口３０５に対してキャピラリ４０５が挿入される方向であり、換言すると試薬導入口３０５から試薬保持部１５１に向かう方向であり、すなわち下方向である。本実施形態の流路入口１６０は、案内穴３１５及び傾斜面３１６よりも上側に設けられる。
【００５２】
傾斜面３１６の前面２５側の端部３１６Ａよりも試薬保持部１５１側に、狭窄部１６５が設けられている。狭窄部１６５は、図２に示すように、前面２５において前方向に突出する段差である。この段差により、狭窄部１６５が設けられている部分の前後方向の流路幅は、狭窄部１６５が設けられていない部分よりも狭い。狭窄部１６５は、端部３１６Ａの下方位置１６５Ａから試薬保持部１５１の下端部１５１Ａに亘って設けられている。狭窄部１６５は、前面２５において前方向に傾斜するテーパでもよい。
【００５３】
試薬供給部１５２の下端部は、流路が狭く形成された試薬案内部１５３に接続する。試薬案内部１５３の下方には、試薬定量部１５４が設けられている。試薬定量部１５４は、第二試薬６３を定量する部位であり、左下方に凹む凹部である。試薬案内部１５３と試薬定量部１５４とが連通する部位から、通路１５５が左下方に延び、通路１５７が右上方に延びている。通路１５５は、試薬定量部１５４の下方に設けられた試薬余剰部１５６まで延びている。試薬余剰部１５６は、試薬定量部１５４から溢れ出た第二試薬６３が貯留される部位であり、通路１５５の下端部から右方向に設けられた凹部である。通路１５７の右上方の端部は、後述する共通流路１８０に繋がっている。
【００５４】
共通流路１８０は、通路１１７，１３７，１５７と測定部１９０とを接続する流路である。共通流路１８０は、案内壁１８１，１８２，１８３を含む。案内壁１８１は、通路１１７の右側に設けられた、右下方向に延びる壁部である。案内壁１８２は、通路１３７の右側に設けられた、右下方向に延びる壁部である。案内壁１８３は、通路１３７の右側に設けられた、測定部１９０まで下方向に延びる壁部である。測定部１９０は、共通流路１８０の右下部に設けられた、下方に凹む凹部である。測定部１９０は、検体６１、第一試薬６２、及び第二試薬６３が含まれる液体である図１１に示す混合液６４が貯留及び測定される部位である。後述する光学測定が行われる際には、測定光が測定部１９０に透過される。
【００５５】
＜４−２．液体導入部３００の詳細構造＞
図４〜図６を参照して、液体導入部３００の詳細構造を説明する。図５は、試薬導入口３０５に収容されたキャピラリ４０５を仮想線で示している。図６は、キャピラリ４０１〜４０６が収容された検査チップ２の後面２６の上側部分を拡大して表している。図４に示すように、液体導入部３００は、検体導入口３０１，３０２、及び試薬導入口３０３，３０４，３０５，３０６を含む。
【００５６】
図６に示すように、検体導入口３０１は、後面２６の左上部に設けられ、上辺部２１から上下方向における検査チップ２の略中心まで下方に延びている。検体導入口３０１の上端部は、上辺部２１に形成された開口３０１Ａである。開口３０１Ａは、キャピラリ４０１を挿入可能である。検体導入口３０１は、開口３０１Ａから挿入されたキャピラリ４０１が収容される部位である。キャピラリ４０１は、検体６１を取り込むことができる、例えばガラス製の中空管であり、検体６１を毛管力により内部に保持する。
【００５７】
検体導入口３０２は、後面２６において検体導入口３０１の右側に設けられ、上辺部２１から上下方向における検査チップ２の略中心まで下方に延びている。検体導入口３０２の上端部は、上辺部２１に形成された開口３０２Ａである。開口３０２Ａは、キャピラリ４０２を挿入可能である。検体導入口３０２は、開口３０２Ａから挿入されたキャピラリ４０２が収容される部位である。キャピラリ４０２は、検体８１を取り込むことができる、例えばガラス製の中空管であり、検体８１を毛管力により内部に保持する。一例として、検体６１，８１は血液である。
【００５８】
試薬導入口３０３は、後面２６における略中央部の上側に設けられ、上辺部２１から上下方向における検査チップ２の略中心まで左下方に延びている。試薬導入口３０３の上端部は、上辺部２１に形成された開口３０３Ａである。開口３０３Ａは、キャピラリ４０３を挿入可能である。試薬導入口３０３は、開口３０３Ａから挿入されたキャピラリ４０３が収容される部位である。キャピラリ４０３は、第一試薬６２を取り込むことができる、例えばガラス製の中空管であり、第一試薬６２を毛管力により内部に保持する。一例として、第一試薬６２は血中のグルコースを測定するための試薬である。
【００５９】
試薬導入口３０４は、後面２６において試薬導入口３０３の右側に設けられ、上辺部２１から上下方向における検査チップ２の略中心まで下方に延びている。試薬導入口３０４の上端部は、上辺部２１に形成された開口３０４Ａである。開口３０４Ａは、キャピラリ４０４を挿入可能である。試薬導入口３０４は、開口３０４Ａから挿入されたキャピラリ４０４が収容される部位である。キャピラリ４０４は、第一試薬８２を取り込むことができる、例えばガラス製の中空管であり、第一試薬８２を毛管力により内部に保持する。一例として、第一試薬８２は血中の総コレステロールを測定するための試薬である。
【００６０】
試薬導入口３０５は、後面２６の右上部に設けられ、上辺部２１から上下方向における検査チップ２の略中心まで下方に延びている。試薬導入口３０５の上端部は、上辺部２１に形成された開口３０５Ａである。開口３０５Ａは、キャピラリ４０５を挿入可能である。試薬導入口３０５は、開口３０５Ａから挿入されたキャピラリ４０５が収容される部位である。キャピラリ４０５は、第二試薬６３を取り込むことができる、例えばガラス製の中空管であり、第二試薬６３を毛管力により内部に保持する。一例として、血中のグルコースを測定するための試薬である。
【００６１】
試薬導入口３０６は、後面２６において試薬導入口３０５の右側に設けられ、上辺部２１から下方に凹んでいる。試薬導入口３０６の上端部は、上辺部２１に形成された開口３０６Ａである。開口３０６Ａは、キャピラリ４０６を挿入可能である。試薬導入口３０６の左右方向の長さである開口幅は、先述の検体導入口３０１，３０２及び試薬導入口３０３，３０４，３０５の左右方向の長さである開口幅よりも、大きい。試薬導入口３０６は、開口３０６Ａから挿入されたキャピラリ４０６が収容される部位である。キャピラリ４０６は、第二試薬８３を取り込むことができる、例えばガラス製の中空管であり、第二試薬８３を毛管力により内部に保持する。一例として、第二試薬８３は血中の総コレステロールを測定するための試薬である。
【００６２】
図５に示すように、試薬導入口３０５の下端部から前方に向けて、案内穴３１５が設けられている。傾斜面３１６は、試薬導入口３０５の下端面及び案内穴３１５を形成する内側下面をなす、前側下方に傾斜した面である。傾斜面３１６は、後面２６側の試薬導入口３０５と、前面２５側の試薬定量流路１５０とを繋ぐ。つまり傾斜面３１６は、試薬導入口３０５と試薬保持部１５１との間の流路に設けられ、第三注入方向である下方向に対して傾斜する。
【００６３】
図３及び図４に示すように、検体導入口３０１の下端部から前方に向けて、案内穴３１１が設けられている。傾斜面３１２は、検体導入口３０１の下端面及び案内穴３１１を形成する内側下面をなす、前側下方に傾斜した面である。傾斜面３１２は、後面２６側の検体導入口３０１と、前面２５側の検体定量流路１１０とを繋ぐ。つまり傾斜面３１２は、検体導入口３０１と検体保持部１１１との間の流路に設けられ、第一注入方向である下方向に対して傾斜する。
【００６４】
傾斜面３１４は、試薬導入口３０３の下端面及び案内穴３１３を形成する内側下面をなす、前側下方に傾斜した面である。傾斜面３１４は、後面２６側の試薬導入口３０３と、前面２５側の試薬定量流路１３０とを繋ぐ。つまり傾斜面３１４は、試薬導入口３０３と試薬保持部１３１との間の流路に設けられ、第二注入方向である右下方向に対して傾斜する。
【００６５】
＜４−３．液体流路２００の詳細構造＞
図４を参照して、液体流路２００の詳細構造を説明する。液体流路２００は、検体定量流路２１０、試薬定量流路２３０，２５０、共通流路２８０、及び測定部２９０を含む。検体定量流路２１０は、検査チップ２の左部に設けられ、且つ、図３に示す検体定量流路１１０と前後方向に略対応した形状を有する。試薬定量流路２３０は、検体定量流路１１０の右側に設けられ、且つ、図３に示す試薬定量流路１３０と前後方向に略対応した形状を有する。試薬定量流路２５０は、試薬定量流路１３０の右側、且つ検査チップ２の右部に設けられ、図３に示す試薬定量流路１５０と前後方向に略対応した形状を有する。測定部２９０は、検査チップ２の右下部に設けられ、図３に示す測定部１９０と前後方向に略対応した形状を有する。共通流路２８０は、検体定量流路２１０及び試薬定量流路２３０，２５０と、測定部２９０との間に設けられ、且つ、図３に示す共通流路１８０と前後方向に略対応した形状を有する。
【００６６】
検体定量流路２１０は、検体保持部２１１、検体供給部２１２、検体案内部２１３、検体定量部２１４、通路２１５、検体余剰部２１６、及び通路２１７を含む。検体定量流路２１０における左上端部に、検体導入口３０２の下端部が接続されている。検体導入口３０２の下方には、右下方向に傾斜する壁面である傾斜面２２２が設けられている。傾斜面２２２よりも下方に、上方に開口する凹部である検体保持部２１１が設けられている。
【００６７】
後述するが、検体８１は傾斜面２２２に沿って右下方に移動することにより、検体導入口３０２から検体定量流路２１０に流入可能である。つまり傾斜面２２２は、検体導入口３０２と検体保持部２１１との間に設けられ、第四注入方向である下方向に対して傾斜する。第四注入方向は、検体導入口３０２に対してキャピラリ４０２が挿入される方向であり、換言すると検体導入口３０２から検体保持部２１１に向かう方向であり、すなわち下方向である。傾斜面２２２は、後述の入口側壁部２２１に向かって傾斜している。つまり、傾斜面２２２が延びる方向の延長線上に、入口側壁部２２１が設けられている。
【００６８】
検体保持部２１１は、検体定量流路２１０に流入した検体８１が保持される部位である。検体保持部２１１から右上方向に延びる壁部は、入口側壁部２２１である。入口側壁部２２１の右上端部には、検体供給部２１２に連通する流路入口２２０が設けられている。流路入口２２０は、検体保持部２１１に保持された検体８１が検体供給部２１２に流入される開口である。検体供給部２１２は、流路入口２２０から下方向に延びる流路である。流路入口２２０は、第四注入方向において検体保持部２１１よりも検体導入口３０２側に設けられる。本実施形態の流路入口２２０は、傾斜面２２２よりも上側に設けられる。
【００６９】
検体供給部２１２の下端部は、流路が狭く形成された検体案内部２１３に接続する。検体案内部２１３の下方には、検体定量部２１４が設けられている。検体定量部２１４は、検体８１を定量する部位であり、左下方に凹む凹部である。検体案内部２１３と検体定量部２１４とが連通する部位から、通路２１５が左下方に延び、通路２１７が右上方に延びている。通路２１５は、検体定量部２１４の下方に設けられた検体余剰部２１６まで延びている。検体余剰部２１６は、検体定量部２１４から溢れ出た検体８１が貯留される部位であり、通路２１５の下端部から右方向に設けられた凹部である。通路２１７の右上方の端部は、後述する共通流路２８０に繋がっている。
【００７０】
試薬定量流路２３０は、試薬保持部２３１、試薬供給部２３２、試薬案内部２３３、試薬定量部２３４、通路２３５、試薬余剰部２３６、及び通路２３７を含む。試薬定量流路２３０の左上部に、試薬導入口３０４の下端部が接続されている。試薬導入口３０４の右下方には、上方に開口する凹部である試薬保持部２３１が設けられている。試薬保持部２３１から右上方向に延びる壁部は、入口側壁部２４１である。入口側壁部２４１は、試薬導入口３０４の下方に位置する。
【００７１】
後述するが、第一試薬８２は入口側壁部２４１に沿って左下方に移動することにより、試薬導入口３０４から試薬定量流路２３０に流入可能である。つまり入口側壁部２４１は、試薬導入口３０４と試薬保持部２３１との間に設けられ、第五注入方向である下方向に対して傾斜する。第五注入方向は、試薬導入口３０４に対してキャピラリ４０４が挿入される方向であり、換言すると試薬導入口３０４から試薬保持部２３１に向かう方向であり、すなわち下方向である。
【００７２】
試薬保持部２３１は、試薬定量流路２３０に流入した第一試薬８２が保持される部位である。入口側壁部２４１の右上端部には、試薬供給部２３２に連通する流路入口２４０が設けられている。流路入口２４０は、試薬保持部２３１に保持された第一試薬８２が試薬供給部２３２に流入される開口である。試薬供給部２３２は、流路入口２４０から下方向に延びる流路である。流路入口２４０は、第五注入方向において試薬保持部２３１よりも試薬導入口３０４側に設けられる。本実施形態の流路入口２４０は、入口側壁部２４１においてキャピラリ４０４の下端部が接触する部位よりも上側に設けられる。
【００７３】
試薬供給部２３２の下端部は、流路が狭く形成された試薬案内部２３３に接続する。試薬案内部２３３の下方には、試薬定量部２３４が設けられている。試薬定量部２３４は、第一試薬８２を定量する部位であり、左下方に凹む凹部である。試薬案内部２３３と試薬定量部２３４とが連通する部位から、通路２３５が左下方に延び、通路２３７が右上方に延びている。通路２３５は、試薬定量部２３４の下方に設けられた試薬余剰部２３６まで延びている。試薬余剰部２３６は、試薬定量部２３４から溢れ出た第一試薬８２が貯留される部位であり、通路２３５の下端部から右方向に設けられた凹部である。通路２３７の右上方の端部は、後述する共通流路２８０に繋がっている。
【００７４】
試薬定量流路２５０は、試薬保持部２５１、試薬供給部２５２、試薬案内部２５３、試薬定量部２５４、通路２５５、試薬余剰部２５６、通路２５７、毛管部２６２、及び接続流路２６３を含む。毛管部２６２は、試薬定量流路２５０の左上端部に設けられ、且つ試薬導入口３０６の下方において上下方向に延びている。毛管部２６２の上端部には、テーパ２６８が設けられている。テーパ２６８内では、左右方向の流路幅が下方に向けて小さくなる。毛管部２６２及び試薬導入口３０６は、テーパ２６８を介して上下方向に連通している。毛管部２６２の下端部には、テーパ２６９が設けられている。テーパ２６９内では、左右方向の流路幅が下方に向けて小さくなる。接続流路２６３は、テーパ２６９の下端部から下方に延びている。接続流路２６３の下方には、上方に開口する凹部である試薬保持部２５１が設けられている。接続流路２６３と後述の流路入口２６０との間には、接続流路２６３の右壁の下端部から流路入口２６０よりも下方まで突出する壁部である突出壁２６４が設けられている。
【００７５】
後述するが、第二試薬８３はテーパ２６８に沿って下方に移動することにより、試薬導入口３０６から試薬定量流路２５０に流入可能である。つまりテーパ２６８は、試薬導入口３０６と試薬保持部２５１との間に設けられ、第六注入方向である下方向に対して傾斜する。第六注入方向は、試薬導入口３０６に対してキャピラリ４０６が挿入される方向であり、換言すると試薬導入口３０６から試薬保持部２５１に向かう方向であり、すなわち下方向である。
【００７６】
毛管部２６２は、試薬導入口３０６と試薬保持部２５１との間に設けられた、試薬導入口３０６に収容されたキャピラリ４０６から流出する第二試薬８３を、毛管力により保持する部位である。接続流路２６３は、毛管部２６２と試薬保持部２５１との間に設けられた流路である。試薬導入口３０６、毛管部２６２、及び接続流路２６３は、第六注入方向において互いに連通している。
【００７７】
図６に示すように、キャピラリ４０６の左右方向長さである外径Ｌ１は、試薬導入口３０６の左右方向の開口幅Ｌ２よりも小さい。毛管部２６２の左右方向の流路幅Ｌ３は、試薬導入口３０６の左右方向の開口幅Ｌ２よりも小さい。つまり、毛管部２６２の第六注入方向と直交する方向の断面は、キャピラリ４０６の第六注入方向と直交する方向の断面よりも小さく、さらに試薬導入口３０６の第六注入方向と直交する方向の断面よりも小さい。接続流路２６３の左右方向の流路幅Ｌ４は、キャピラリ４０６の左右方向長さである外径Ｌ１よりも大きく、試薬導入口３０６の左右方向の開口幅Ｌ２よりも大きい。つまり、試薬導入口３０６の第六注入方向と直交する方向の断面は、接続流路２６３の第六注入方向と直交する方向の断面よりも小さい。
【００７８】
図４に示すように、試薬保持部２５１は、試薬定量流路２５０に流入した第二試薬８３が保持される部位である。試薬保持部２５１から右上方向に延びる壁部は、入口側壁部２６１である。入口側壁部２６１の右上端部には、試薬供給部２５２に連通する流路入口２６０が設けられている。流路入口２６０は、試薬保持部２５１に保持された第二試薬８３が試薬供給部２５２に流入される開口である。試薬供給部２５２は、流路入口２６０から下方向に延びる流路である。流路入口２６０は、第六注入方向において試薬保持部２５１よりも試薬導入口３０６側に設けられる。本実施形態の流路入口２６０は、突出壁２６４の下端部よりも上側に設けられる。
【００７９】
試薬供給部２５２の下端部は、流路が狭く形成された試薬案内部２５３に接続する。試薬案内部２５３の下方には、試薬定量部２５４が設けられている。試薬定量部２５４は、第二試薬８３を定量する部位であり、左下方に凹む凹部である。試薬案内部２５３と試薬定量部２５４とが連通する部位から、通路２５５が左下方に延び、通路２５７が右上方に延びている。通路２５５は、試薬定量部２５４の下方に設けられた試薬余剰部２５６まで延びている。試薬余剰部２５６は、試薬定量部２５４から溢れ出た第二試薬８３が貯留される部位であり、通路２５５の下端部から右方向に設けられた凹部である。通路２５７の右上方の端部は、後述する共通流路２８０に繋がっている。
【００８０】
共通流路２８０は、通路２１７，２３７，２５７と測定部２９０とを接続する流路である。共通流路２８０は、案内壁２８１，２８２，２８３を含む。案内壁２８１は、通路２１７の右側に設けられた、右下方向に延びる壁部である。案内壁２８２は、通路２３７の右側に設けられた、右下方向に延びる壁部である。案内壁２８３は、通路２３７の右側に設けられた、測定部２９０まで下方向に延びる壁部である。測定部２９０は、共通流路２８０の右下部に設けられた、下方に凹む凹部である。測定部２９０は、検体８１、第一試薬８２、及び第二試薬８３が含まれる液体である図１１に示す混合液８４が貯留及び測定される部位である。後述する光学測定が行われる際には、測定光が測定部２９０に透過される。
【００８１】
＜４−４．検査チップ２のその他構造＞
図１に示すように、Ｌ型プレート６０から延びる支軸４６は、図示外の装着用ホルダを介して板材２０の後面中央に垂直に連結される。支軸４６の回転に伴って、検査チップ２が支軸４６を中心に自転する。検査チップ２は図３及び図４に示す定常状態である場合、上辺部２１及び下辺部２４が重力Ｇの方向と直交し、右辺部２２及び左辺部２３が重力Ｇの方向と平行、且つ、左辺部２３が右辺部２２よりも主軸５７側に配置される。定常状態の検査チップ２が測定位置に配置されている状態において、光源７１と光センサ７２とを結ぶ測定光を測定部１９０，２９０に通過させることで、検査装置１は光学測定による検査を行う。このとき、測定部１９０，２９０は、測定光の進行方向に並んだ状態となっている。すなわち、測定部１９０，２９０が並ぶ前後方向は、光学測定における測定光の進行方向と平行である。
【００８２】
＜５．検査方法の一例＞
図６〜図１１を参照して、検査装置１及び検査チップ２を用いた検査方法について説明する。図７〜図１１では、液体導入部３００、及び液体流路２００のうちで液体流路１００と前後方向に対応しない部分を、点線で図示している。
【００８３】
図６に示すように、ユーザは検体６１が内部に保持されたキャピラリ４０１を、開口３０１Ａに挿入する。このとき、検体導入口３０１に収容されたキャピラリ４０１の第一注入方向の端部である下端部４０１Ａは、傾斜面３１２に接触することにより位置決めされる。傾斜面３１２は、検体導入口３０１と検体保持部１１１との間に設けられ、第一注入方向に対して傾斜する面である。検体導入口３０１に収容されたキャピラリ４０１は、傾斜面３１２に接触して、検体保持部１１１に進入することが抑制される。従って、位置決めされたキャピラリ４０１から流出する検体６１は、検体保持部１１１に流入しやすい。よって、より確実に検体６１は検体保持部１１１に保持されるので、キャピラリ４０１が検体導入口３０１に挿入された時に、検体６１は流路入口１２０に移動しにくい。従って、意図しないタイミングにおいて、検体６１が検体保持部１１１に流出し、さらに流路入口１２０を介して検体供給部１１２に流入する可能性が抑制される。尚、意図するタイミング、すなわち適切なタイミングは、後述する図８に示す測定動作が開始されるタイミングである。
【００８４】
ユーザは検体８１が内部に保持されたキャピラリ４０２を、開口３０２Ａに挿入する。このとき、検体導入口３０２に収容されたキャピラリ４０２の第二注入方向の端部である下端部４０２Ａは、傾斜面２２２に接触することにより位置決めされる。傾斜面２２２は、検体導入口３０２と検体保持部２１１との間に設けられ、第二注入方向に対して傾斜する面である。検体導入口３０２に収容されたキャピラリ４０２は、傾斜面２２２に接触して、検体保持部２１１に進入することが抑制される。従って、位置決めされたキャピラリ４０２から流出する検体８１は、検体保持部２１１に流入しやすい。よって、より確実に検体８１は検体保持部２１１に保持されるので、キャピラリ４０２が検体導入口３０２に挿入された時に、検体８１は流路入口２２０に移動しにくい。従って、意図しないタイミングにおいて、検体８１が検体保持部２１１に流出し、さらに流路入口２２０を介して検体供給部２１２に流入する可能性が抑制される。
【００８５】
ユーザは第一試薬６２が内部に保持されたキャピラリ４０３を、開口３０３Ａに挿入する。このとき、試薬導入口３０３に収容されたキャピラリ４０３の第三注入方向の端部である左下端部４０３Ａは、傾斜面３１４に接触することにより位置決めされる。傾斜面３１４は、試薬導入口３０３と試薬保持部１３１との間に設けられ、第三注入方向に対して傾斜する面である。試薬導入口３０３に収容されたキャピラリ４０３は、傾斜面３１４に接触して、試薬保持部１３１に進入することが抑制される。従って、位置決めされたキャピラリ４０３から流出する第一試薬６２は、試薬保持部１３１に流入しやすい。よって、より確実に第一試薬６２は試薬保持部１３１に保持されるので、キャピラリ４０３が試薬導入口３０３に挿入された時に、第一試薬６２は流路入口１４０に移動しにくい。従って、意図しないタイミングにおいて、第一試薬６２が試薬保持部１３１に流出し、さらに流路入口１４０を介して試薬供給部１３２に流入する可能性が抑制される。
【００８６】
ユーザは第一試薬８２が内部に保持されたキャピラリ４０４を、開口３０４Ａに挿入する。このとき、試薬導入口３０４に収容されたキャピラリ４０４の第四注入方向の端部である下端部４０４Ａは、入口側壁部２４１に接触することにより位置決めされる。入口側壁部２４１は、試薬導入口３０４と試薬保持部２３１との間に設けられ、第四注入方向に対して傾斜する面である。試薬導入口３０４に収容されたキャピラリ４０４は、入口側壁部２４１に接触して、試薬保持部２３１に進入することが抑制される。従って、位置決めされたキャピラリ４０４から流出する第一試薬８２は、試薬保持部２３１に流入しやすい。よって、より確実に第一試薬８２は試薬保持部２３１に保持されるので、キャピラリ４０４が試薬導入口３０４に挿入された時に、第一試薬８２は流路入口２４０に移動しにくい。従って、意図しないタイミングにおいて、第一試薬８２が試薬保持部２３１に流出し、さらに流路入口２４０を介して試薬供給部２３２に流入する可能性が抑制される。
【００８７】
ユーザは第二試薬６３が内部に保持されたキャピラリ４０５を、開口３０５Ａに挿入する。このとき、試薬導入口３０５に収容されたキャピラリ４０５の第五注入方向の端部である下端部４０５Ａは、傾斜面３１６に接触することにより位置決めされる。傾斜面３１６は、試薬導入口３０５と試薬保持部１５１との間に設けられ、第五注入方向に対して傾斜する面である。試薬導入口３０５に収容されたキャピラリ４０５は、傾斜面３１６に接触して、試薬保持部１５１に進入することが抑制される。従って、位置決めされたキャピラリ４０５から流出する第二試薬６３は、試薬保持部１５１に流入しやすい。よって、より確実に第二試薬６３は試薬保持部１５１に保持されるので、キャピラリ４０５が試薬導入口３０５に挿入された時に、第二試薬６３は流路入口１６０に移動しにくい。従って、意図しないタイミングにおいて、第二試薬６３が試薬保持部１５１に流出し、さらに流路入口１６０を介して試薬供給部１５２に流入する可能性が抑制される。
【００８８】
ユーザは第二試薬８３が内部に保持されたキャピラリ４０６を、開口３０６Ａに挿入する。毛管部２６２の第六注入方向と直交する方向の断面は、キャピラリ４０６の第六注入方向と直交する方向の断面よりも小さい。そのため、試薬導入口３０６に収容されたキャピラリ４０６の第六注入方向の端部である下端部４０６Ａは、テーパ２６８に接触することにより位置決めされる。試薬導入口３０６に収容されたキャピラリ４０６は、テーパ２６８に接触して、試薬保持部２５１に進入することが抑制される。従って、位置決めされたキャピラリ４０６から流出する第二試薬８３は、試薬保持部２５１に流入しやすい。よって、より確実に第二試薬８３は試薬保持部２５１に保持されるので、キャピラリ４０６が試薬導入口３０６に挿入された時に、第二試薬８３は流路入口２６０に移動しにくい。従って、意図しないタイミングにおいて、第二試薬８３が試薬保持部２５１に流出し、さらに流路入口２６０を介して試薬供給部２５２に流入する可能性が抑制される。
【００８９】
テーパ２６８は、試薬導入口３０６と試薬保持部２５１との間に設けられ、第六注入方向に対して傾斜する面である。キャピラリ４０６から流出する第二試薬８３は、テーパ２６８に沿って毛管部２６２内にスムーズに流入される。従って、より確実に第二試薬８３は毛管部２６２に保持されるので、キャピラリ４０６が試薬導入口３０６に挿入された時に、第二試薬８３は流路入口２６０に移動しにくい。従って、意図しないタイミングにおいて、第二試薬８３が試薬保持部２５１に流出し、さらに流路入口２６０を介して試薬供給部２５２に流入する可能性が抑制される。
【００９０】
試薬導入口３０６内に供給された第二試薬８３は、毛管部２６２に生じる毛管力により吸引されて、毛管部２６２内に保持される。従って、キャピラリ４０６が試薬導入口３０６に収容されたときに、キャピラリ４０６から流出した第二試薬８３が流路入口２６０に流入することが抑制される。従って、意図しないタイミングにおいて、第二試薬８３が試薬保持部２５１に流出し、さらに流路入口２６０を介して試薬供給部２５２に流入する可能性が抑制される。
【００９１】
毛管部２６２の第六注入方向と直交する方向の断面である流路幅Ｌ３は、試薬導入口３０６の第六注入方向と直交する方向の断面である開口幅Ｌ２、及び接続流路２６３の第六注入方向と直交する方向の断面である流路幅Ｌ４よりも小さい。つまり、試薬導入口３０６の開口幅Ｌ２、毛管部２６２の流路幅Ｌ３、及び接続流路２６３の流路幅Ｌ４のうち、毛管部２６２の流路幅Ｌ３が最も小さい。そのため、毛管部２６２に生じる毛管力は、試薬導入口３０６に生じる毛管力及び接続流路２６３に生じる毛管力よりも大きい。従って、キャピラリ４０６から流出する第二試薬８３は、試薬導入口３０６及び接続流路２６３よりも優先して毛管部２６２に保持される。従って、意図しないタイミングにおいて、第二試薬８３が試薬保持部２５１に流出し、さらに流路入口２６０を介して試薬供給部２５２に流入する可能性が抑制される。
【００９２】
試薬導入口３０６の第六注入方向と直交する方向の断面である開口幅Ｌ２は、接続流路２６３の第六注入方向と直交する方向の断面である流路幅Ｌ４よりも小さい。つまり、試薬導入口３０６の開口幅Ｌ２は、接続流路２６３の流路幅Ｌ４よりも小さい。そのため、試薬導入口３０６に生じる毛管力は、接続流路２６３に生じる毛管力よりも大きい。従って、毛管部２６２が保持しきれない余剰の第二試薬８３は、接続流路２６３ではなく、試薬導入口３０６に保持される。そのため、後述の測定動作を実行する前に、余剰の第二試薬８３が接続流路２６３から流路入口２６０に流入することが抑制される。以上のように、キャピラリ４０６から流出する第二試薬８３は、接続流路２６３よりも試薬導入口３０６側で保持される。その結果、意図しないタイミングにおいて、第二試薬８３が流路入口２６０を介して試薬供給部２５２に流入する可能性が抑制される。
【００９３】
次いで、図１に示すように、検査チップ２が支軸４６に取り付けられて、制御装置９０に処理開始のコマンドが入力されると、以下の測定動作が実行される。なお、検査装置１は二つの検査チップ２を同時に検査可能であるが、以下では説明の便宜のため、１つの検査チップ２を検査する手順を説明する。以下の説明では、図３及び図４に示す検査チップ２の定常状態を自転角度０度とし、定常状態から９０度反時計回りに回転した状態を自転角度９０度とする。
【００９４】
まず、ＣＰＵ９１の指示に基づき、自転コントローラ９８がステッピングモータ５１を駆動制御することにより、定常状態の検査チップ２が前方からみて反時計回りに９０度自転される。ＣＰＵ９１の指示に基づき、公転コントローラ９７が主軸モータ３５を制御してターンテーブル３３の駆動を開始する。本実施形態では、検査チップ２の前方向が公転の方向である。ＣＰＵ９１の指示に基づき、公転コントローラ９７が主軸モータ３５を制御してターンテーブル３３の回転速度を上げる。回転速度が例えば３０００ｒｐｍに達すると、主軸モータ３５はこの回転速度を保持する。これにより、図７に示すように、自転角度が９０度の検査チップ２が公転される。上辺部２１から下辺部２４に向けて、検査チップ２に遠心力Ｘが作用する。遠心力Ｘの作用により、検査チップ２では次のように液体の位置が変化する。
【００９５】
図７を参照して、液体流路１００における液体位置の変化を説明する。遠心力Ｘの作用により、図６に示す検体導入口３０１に収容されたキャピラリ４０１から、検体６１が下方に流出する。前面２５から後面２６に向かう方向に傾斜して、前面２５側と後面２６側とを連通する傾斜面３１２が設けられる。検体６１は、傾斜面３１２に沿って案内穴３１１を移動することにより、検体導入口３０１から検体定量流路１１０に流入する。検体６１は、傾斜面３１２の端部３１２Ａから下方に移動して、検体保持部１１１に保持される。よって、より確実に検体６１は検体保持部１１１に保持されるので、キャピラリ４０１が検体導入口３０１に挿入された時に、検体６１は流路入口１２０に移動しにくい。従って、意図しないタイミングにおいて、検体６１が検体保持部１１１に流出し、さらに流路入口１２０を介して検体供給部１１２に流入する可能性が抑制される。
【００９６】
流路入口１２０は、検体導入口３０１から検体保持部１１１に向かう第一注入方向において検体保持部１１１よりも検体導入口３０１側に設けられている。これにより、検体導入口３０１に収容されたキャピラリ４０１から流出する検体６１は、流路入口１２０に流入する前に検体保持部１１１に保持される。よって、検体６１は、キャピラリ４０１が検体導入口３０１に挿入された時に、流路入口１２０に移動しにくい。これにより、キャピラリ４０１から流出する検体６１を、適切なタイミングにおいて検体保持部１１１から流路入口１２０に移動させて、検体供給部１１２に流入させることができる。その結果、意図しないタイミングにおいて、検体６１が流路入口１２０を介して検体供給部１１２に流入する可能性が抑制される。
【００９７】
図２に示すように、流路入口１２０の前面２５及び後面２６の対向する方向の幅である流路幅Ｌ５は、検体保持部１１１の前面２５及び後面２６の対向する方向の幅である流路幅Ｌ６よりも小さい。従って、意図しないタイミングにおいて、検体６１が検体保持部１１１から流路入口１２０側に移動した場合、検体６１は流路入口１２０を通過困難である。その結果、適切なタイミングにおいて検体保持部１１１から流路入口１２０に移動させて、検体供給部１１２に流入させることができる。
【００９８】
遠心力Ｘの作用により、図６に示す試薬導入口３０３に収容されたキャピラリ４０３から、第一試薬６２が下方に流出する。前面２５から後面２６に向かう方向に傾斜して、前面２５側と後面２６側とを連通する傾斜面３１４が設けられる。第一試薬６２は、傾斜面３１４に沿って案内穴３１３を移動することにより、試薬導入口３０３から試薬定量流路１３０に流入する。第一試薬６２は、傾斜面３１４の端部３１４Ａから下方に移動して、試薬保持部１３１に保持される。よって、より確実に第一試薬６２は試薬保持部１３１に保持されるので、キャピラリ４０３が試薬導入口３０３に挿入された時に、第一試薬６２は流路入口１４０に移動しにくい。従って、意図しないタイミングにおいて、第一試薬６２が試薬保持部１３１に流出し、さらに流路入口１４０を介して試薬供給部１３２に流入する可能性が抑制される。
【００９９】
流路入口１４０は、試薬導入口３０３から試薬保持部１３１に向かう第三注入方向において試薬保持部１３１よりも試薬導入口３０３側に設けられている。これにより、試薬導入口３０３に収容されたキャピラリ４０３から流出する第一試薬６２は、流路入口１４０に流入する前に試薬保持部１３１に保持される。よって、第一試薬６２は、キャピラリ４０３が試薬導入口３０３に挿入された時に、流路入口１４０に移動しにくい。これにより、ユーザはキャピラリ４０３から流出する第一試薬６２を、適切なタイミングにおいて試薬保持部１３１から流路入口１４０に移動させて、試薬供給部１３２に流入させることができる。その結果、意図しないタイミングにおいて、第一試薬６２が流路入口１４０を介して試薬供給部１３２に流入する可能性が抑制される。
【０１００】
案内穴３１３は、試薬導入口３０３の第三注入方向の端部である左下端部に位置する。図７において案内穴３１３から入口側壁部１４１に向けて延びる仮想線は、仮想方向Ｋを示す。仮想方向Ｋは、試薬導入口３０３の第三注入方向の端部から前面２５及び後面２６と平行に延び、且つ、第三注入方向に対して垂直に延びる仮想的な方向である。仮想方向Ｋと入口側壁部１４１とのなす角のうち、案内穴３１３と流路入口１４０との間に形成される角θは９０度以下である。
【０１０１】
試薬導入口３０３に収容されたキャピラリ４０３から流出した第一試薬６２は、例えば検査チップ２の振動により、仮想方向Ｋに移動する可能性がある。角θが９０度以下であることにより、仮想方向Ｋに移動した第一試薬６２は入口側壁部１４１により、流路入口１４０とは反対側に設けられた試薬保持部１３１に案内される。従って、キャピラリ４０３から流出する第一試薬６２は、入口側壁部１４１を超えて流路入口１４０に移動することが抑制される。その結果、意図しないタイミングにおいて、第一試薬６２が流路入口１４０を介して試薬供給部１３２に流入する可能性が抑制される。
【０１０２】
遠心力Ｘの作用により、図６に示す試薬導入口３０５に収容されたキャピラリ４０５から、第二試薬６３が下方に流出する。前面２５から後面２６に向かう方向に傾斜して、前面２５側と後面２６側とを連通する傾斜面３１６が設けられる。第二試薬６３は、傾斜面３１６に沿って案内穴３１５を移動することにより、試薬導入口３０５から試薬定量流路１５０に流入する。第二試薬６３は、傾斜面３１６の端部３１６Ａから下方に移動する。第二試薬６３は、傾斜面３１６の端部３１６Ａから下方に移動して、試薬保持部１５１に保持される。よって、より確実に第二試薬６３は試薬保持部１５１に保持されるので、キャピラリ４０５が試薬導入口３０５に挿入された時に、第二試薬６３は流路入口１６０に移動しにくい。従って、意図しないタイミングにおいて、第二試薬６３が試薬保持部１５１に流出し、さらに流路入口１６０を介して試薬供給部１５２に流入する可能性が抑制される。
【０１０３】
傾斜面３１６の前面２５側の端部３１６Ａよりも試薬保持部１５１側には、後面２６において前面２５とは反対方向に向かって突出する段差又は後面２６において前面２５とは反対方向に向かって傾斜するテーパである狭窄部１６５が設けられる。狭窄部１６５は前面２５と後面２６とが対向する前後方向の流路幅が小さいため、毛管力を生じる。端部３１６Ａから下方に移動する第二試薬６３は、狭窄部１６５に生じる毛管力により吸引されて、試薬保持部１５１に案内される。つまり、傾斜面３１６により前面２５側に案内された第二試薬６３は、狭窄部１６５に生じる毛管力により試薬保持部１５１に流入される。その結果、後面２６側から前面２５側に移動した第二試薬６３が、意図しないタイミングにおいて、流路入口１６０を介して試薬供給部１５２に流入する可能性が抑制される。
【０１０４】
流路入口１６０は、試薬導入口３０５から試薬保持部１５１に向かう第五注入方向において試薬保持部１５１よりも試薬導入口３０５側に設けられている。これにより、試薬導入口３０５に収容されたキャピラリ４０５から流出する第二試薬６３は、流路入口１６０に流入する前に試薬保持部１５１に保持される。よって、第二試薬６３は、キャピラリ４０５が試薬導入口３０５に挿入された時に、流路入口１６０に移動しにくい。その結果、ユーザはキャピラリ４０５から流出する第二試薬６３を、適切なタイミングにおいて試薬保持部１５１から流路入口１６０に移動させて、試薬供給部１５２に流入させることができる。その結果、意図しないタイミングにおいて、第二試薬６３が流路入口１６０を介して試薬供給部１５２に流入する可能性が抑制される。
【０１０５】
狭窄部１６５の下部は、試薬保持部１５１に設けられている。試薬保持部１５１にも、狭窄部１６５に起因する毛管力を生じる。試薬保持部１５１は、狭窄部１６５に起因する毛管力により、キャピラリ４０５から流出した第二試薬６３を保持する。従って、試薬保持部１５１により保持された第二試薬６３が、例えば検査チップ２の振動により試薬保持部１５１から流出することが抑制される。その結果、意図しないタイミングにおいて、第二試薬６３が流路入口１６０を介して試薬供給部１５２に流入する可能性が抑制される。
【０１０６】
図４及び図７を参照して、液体流路２００における液体位置の変化を説明する。遠心力Ｘの作用により、図６に示す検体導入口３０２に収容されたキャピラリ４０２から、検体８１が下方に流出する。検体８１は検体定量流路２１０に流入して、傾斜面２２２に沿って右下方に移動する。傾斜面２２２は入口側壁部２２１に向かって傾斜しているため、検体８１は傾斜面２２２により入口側壁部２２１に向けて案内される。検体８１は、入口側壁部２２１に沿って左下方に移動して、検体保持部２１１に保持される。つまり傾斜面２２２は、検体８１を検体保持部２１１に向けて案内する入口側壁部２２１に向けて、キャピラリ４０２から流出した検体８１を案内する。従って、意図しないタイミングにおいて、検体８１が流路入口２２０を介して検体供給部２１２に流入する可能性が抑制される。
【０１０７】
流路入口２２０は、検体導入口３０２から検体保持部２１１に向かう第二注入方向において検体保持部２１１よりも検体導入口３０２側に設けられている。これにより、検体導入口３０２に収容されたキャピラリ４０２から流出する検体８１は、流路入口２２０に流入する前に検体保持部２１１に保持される。よって、検体８１は、キャピラリ４０２が検体導入口３０２に挿入された時に、流路入口２２０に移動しにくい。その結果、ユーザはキャピラリ４０２から流出する検体８１を、適切なタイミングにおいて検体保持部２１１から流路入口２２０に移動させて、検体供給部２１２に流入させることができる。その結果、意図しないタイミングにおいて、検体８１が流路入口２２０を介して検体供給部２１２に流入する可能性が抑制される。
【０１０８】
遠心力Ｘの作用により、図６に示す試薬導入口３０４に収容されたキャピラリ４０４から、第一試薬８２が下方に流出する。これにより、第一試薬８２は試薬定量流路２３０に流入して、入口側壁部２４１に沿って右下方に移動したのち、試薬保持部２３１に保持される。流路入口２４０は、試薬導入口３０４から試薬保持部２３１に向かう第四注入方向において試薬保持部２３１よりも試薬導入口３０４側に設けられている。これにより、試薬導入口３０４に収容されたキャピラリ４０４から流出する第一試薬８２は、流路入口２４０に流入する前に試薬保持部２３１に保持される。よって、第一試薬８２は、キャピラリ４０４が試薬導入口３０４に挿入された時に、流路入口２４０に移動しにくい。その結果、ユーザはキャピラリ４０４から流出する第一試薬８２を、適切なタイミングにおいて試薬保持部２３１から流路入口２４０に移動させて、試薬供給部２３２に流入させることができる。その結果、意図しないタイミングにおいて、第一試薬８２が流路入口２４０を介して試薬供給部２３２に流入する可能性が抑制される。
【０１０９】
遠心力Ｘの作用により、毛管部２６２に保持されている第二試薬８３が下方に流出する。第二試薬８３は、接続流路２６３を介して下方に移動して、試薬保持部２５１に保持される。接続流路２６３と流路入口２６０との間には、流路入口２６０よりも下方まで突出する突出壁２６４が設けられている。接続流路２６３に存在する第二試薬８３が、例えば検査チップ２の振動により流路入口２６０側に移動した場合でも、突出壁２６４により第二試薬８３が流路入口２６０に流入することが抑制される。
【０１１０】
流路入口２６０は、試薬導入口３０６から試薬保持部２５１に向かう第六注入方向において試薬保持部２５１よりも試薬導入口３０６側に設けられている。これにより、試薬導入口３０６に収容されたキャピラリ４０６から流出する第二試薬８３は、流路入口２６０に流入する前に試薬保持部２５１に保持される。よって、第二試薬８３は、キャピラリ４０６が試薬導入口３０６に挿入された時に、流路入口２６０に移動しにくい。その結果、ユーザはキャピラリ４０６から流出する第二試薬８３を、適切なタイミングにおいて試薬保持部２５１から流路入口２６０に移動させて、試薬供給部２５２に流入させることができる。その結果、意図しないタイミングにおいて、第二試薬８３が流路入口２６０を介して試薬供給部２５２に流入する可能性が抑制される。
【０１１１】
次いで、ＣＰＵ９１の指示に基づき、自転コントローラ９８がステッピングモータ５１を駆動制御することにより、公転中の検査チップ２が前方からみて時計回りに９０度自転される。これにより、図８に示すように、自転角度が０度の検査チップ２が公転される。左辺部２３から右辺部２２に向けて、検査チップ２に遠心力が作用する。遠心力Ｘの作用により、検査チップ２では次のように液体の位置が変化する。
【０１１２】
図４及び図８を参照して、液体流路１００及び液体流路２００における液体位置の変化を説明する。検体定量流路１１０では、検体６１が遠心力Ｘの作用により、入口側壁部１２１に沿って右上方に移動し、流路入口１２０を介して検体供給部１１２に流入する。試薬定量流路１３０では、第一試薬６２が遠心力Ｘの作用により、入口側壁部１４１に沿って右上方に移動し、流路入口１４０を介して試薬供給部１３２に流入する。試薬定量流路１５０では、第二試薬６３が遠心力Ｘの作用により、入口側壁部１６１に沿って右上方に移動し、流路入口１６０を介して試薬供給部１５２に流入する。検体定量流路２１０では、検体８１が遠心力Ｘの作用により、入口側壁部２２１に沿って右上方に移動し、流路入口２２０を介して検体供給部２１２に流入する。試薬定量流路２３０では、第一試薬８２が遠心力Ｘの作用により、入口側壁部２４１に沿って右上方に移動し、流路入口２４０を介して試薬供給部２３２に流入する。試薬定量流路２５０では、第二試薬８３が遠心力Ｘの作用により、入口側壁部２６１に沿って右上方に移動し、流路入口２６０を介して試薬供給部２５２に流入する。
【０１１３】
次いで、ＣＰＵ９１の指示に基づき、自転コントローラ９８がステッピングモータ５１を駆動制御することにより、公転中の検査チップ２が前方からみて反時計回りに９０度自転される。これにより、図９に示すように、自転角度が９０度の検査チップ２が公転される。上辺部２１から下辺部２４に向けて、検査チップ２に遠心力が作用する。遠心力Ｘの作用により、検査チップ２では次のように液体の位置が変化する。
【０１１４】
図４及び図９を参照して、液体流路１００及び液体流路２００における液体位置の変化を説明する。検体定量流路１１０では、検体６１が遠心力Ｘの作用により、検体案内部１１３を介して検体定量部１１４に供給される。検体定量部１１４から溢れ出た余剰の検体６１は、通路１１５を介して検体余剰部１１６に流入する。これにより、検体定量部１１４の容量分の検体６１が検体定量部１１４に残る。試薬定量流路１３０では、第一試薬６２が遠心力Ｘの作用により、試薬案内部１３３を介して試薬定量部１３４に供給される。試薬定量部１３４から溢れ出た余剰の第一試薬６２は、通路１３５を介して試薬余剰部１３６に流入する。試薬定量部１３４の容量分の第一試薬６２が、試薬定量部１３４に残る。試薬定量流路１５０では、第二試薬６３が遠心力Ｘの作用により、試薬案内部１５３を介して試薬定量部１５４に供給される。試薬定量部１５４から溢れ出た余剰の第二試薬６３は、通路１５５を介して試薬余剰部１５６に流入する。試薬定量部１５４の容量分の第二試薬６３が、試薬定量部１５４に残る。検体定量流路２１０では、検体８１が遠心力Ｘの作用により、検体案内部２１３を介して検体定量部２１４に供給される。検体定量部２１４から溢れ出た余剰の検体８１は、通路２１５を介して検体余剰部２１６に流入する。これにより、検体定量部２１４の容量分の検体８１が検体定量部２１４に残る。試薬定量流路２３０では、第一試薬８２が遠心力Ｘの作用により、試薬案内部２３３を介して試薬定量部２３４に供給される。試薬定量部２３４から溢れ出た余剰の第一試薬８２は、通路２３５を介して試薬余剰部２３６に流入する。試薬定量部２３４の容量分の第一試薬８２が、試薬定量部２３４に残る。試薬定量流路２５０では、第二試薬８３が遠心力Ｘの作用により、試薬案内部２５３を介して試薬定量部２５４に供給される。試薬定量部２５４から溢れ出た余剰の第二試薬８３は、通路２５５を介して試薬余剰部２５６に流入する。試薬定量部２５４の容量分の第二試薬８３が、試薬定量部２５４に残る。
【０１１５】
次いで、ＣＰＵ９１の指示に基づき、自転コントローラ９８がステッピングモータ５１を駆動制御することにより、公転中の検査チップ２が前方からみて時計回りに９０度自転される。これにより、図１０に示すように、自転角度が０度の検査チップ２が公転される。左辺部２３から右辺部２２に向けて、検査チップ２に遠心力が作用する。遠心力Ｘの作用により、検査チップ２では次のように液体の位置が変化する。
【０１１６】
図４及び図１０を参照して、液体流路１００及び液体流路２００における液体位置の変化を説明する。検体定量流路１１０では、検体定量部１１４に残存した検体６１が遠心力Ｘの作用により、通路１１７を介して共通流路１８０に流入する。このとき検体６１は、案内壁１８１に沿って右下方に移動したのち、さらに案内壁１８３まで右方向に移動する。検体余剰部１１６に流入した余剰の検体６１は、検体余剰部１１６に保持される。試薬定量流路１３０では、試薬定量部１３４に残存した第一試薬６２が遠心力Ｘの作用により、通路１３７を介して共通流路１８０に流入する。このとき第一試薬６２は、案内壁１８２に沿って右下方に移動したのち、さらに案内壁１８３まで右方向に移動する。試薬余剰部１３６に流入した余剰の第一試薬６２は、試薬余剰部１３６に保持される。試薬定量流路１５０では、試薬定量部１５４に残存した第二試薬６３が遠心力Ｘの作用により、通路１５７を介して共通流路１８０に流入し、案内壁１８３まで右方向に移動する。試薬余剰部１５６に流入した余剰の第二試薬６３は、試薬余剰部１５６に保持される。案内壁１８３まで移動した検体６１、第一試薬６２、及び第二試薬６３は、遠心力Ｘの作用により混合されて、混合液６４が生成される。検体定量流路２１０では、検体定量部２１４に残存した検体８１が遠心力Ｘの作用により、通路２１７を介して共通流路２８０に流入する。このとき検体８１は、案内壁２８１に沿って右下方に移動したのち、さらに案内壁２８３まで右方向に移動する。検体余剰部２１６に流入した余剰の検体８１は、検体余剰部２１６に保持される。試薬定量流路２３０では、試薬定量部２３４に残存した第一試薬８２が遠心力Ｘの作用により、通路２３７を介して共通流路２８０に流入する。このとき第一試薬８２は、案内壁２８２に沿って右下方に移動したのち、さらに案内壁２８３まで右方向に移動する。試薬余剰部２３６に流入した余剰の第一試薬８２は、試薬余剰部２３６に保持される。試薬定量流路２５０では、試薬定量部２５４に残存した第二試薬８３が遠心力Ｘの作用により、通路２５７を介して共通流路２８０に流入し、案内壁２８３まで右方向に移動する。試薬余剰部２５６に流入した余剰の第二試薬８３は、試薬余剰部２５６に保持される。案内壁２８３まで移動した検体８１、第一試薬８２、及び第二試薬８３は、遠心力Ｘの作用により混合されて、混合液８４が生成される。
【０１１７】
次いで、ＣＰＵ９１の指示に基づき、公転コントローラ９７が主軸モータ３５を減速駆動させる。公転コントローラ９７は、検査チップ２を測定位置の角度まで回転移動させたのち、主軸モータ３５を停止させる。これにより、図１１に示すように、自転角度が０度の検査チップ２の公転が停止される。上辺部２１から下辺部２４に向けて、検査チップ２に重力Ｇが作用する。液体流路１００では混合液６４が重力Ｇの作用により、測定部１９０に移動及び貯留される。図４及び図１１に示すように、液体流路２００では混合液８４が重力Ｇの作用により、測定部２９０に移動及び貯留される。
【０１１８】
図１に示すように、検査チップ２が測定位置にある場合、光源７１の発光による測定光の進行方向に測定部１９０，２９０が並ぶ。ＣＰＵ９１の指示に基づき、測定コントローラ９９が光源７１を発光すると、測定光が測定部１９０に貯留された混合液６４及び測定部２９０に貯留された混合液８４を透過する。ＣＰＵ９１は光センサ７２が受光した測定光の変化量に基づいて、混合液６４，８４を測定する。本実施形態では、混合液６４，８４を透過した光の波長に基づいて、混合液６４，８４から各々異なる成分が測定される。
【０１１９】
具体的には、混合液６４はグルコースを測定するための混合液であり、波長３４０ｎｍの光成分に反応する。混合液８４は総コレステロールを測定するための混合液であり、波長６５０ｎｍの光成分に反応する。光センサ７２は波長３４０ｎｍの光成分を、図示外のバンドバスフィルタを透過して検出する。ＣＰＵ９１は、光センサ７２が検出した波長３４０ｎｍの光成分に基づいて、混合液６４からグルコースを測定する。光センサ７２は波長６５０ｎｍの光成分を、図示外のバンドバスフィルタを透過して検出する。ＣＰＵ９１は、光センサ７２が検出した波長６５０ｎｍの光成分に基づいて、混合液８４から総コレステロールを測定する。ＣＰＵ９１は、測定結果をディスプレイ９６に表示する。尚、混合液６４，８４の測定方法は、光学測定に限られず、他の方法でもよい。
【０１２０】
＜６．その他＞
上記実施形態において、検体導入口３０１，３０２、及び試薬導入口３０３，３０４，３０５，３０６がそれぞれ、本発明の「導入口」に相当する。検体保持部１１１，２１１、及び試薬保持部１３１，１５１，２３１，２５１がそれぞれ、本発明の「保持部」に相当する。検体供給部１１２，２１２、及び試薬供給部１３２，１５２，２３２，２５２がそれぞれ、本発明の「流体回路」に相当する。傾斜面２２２，３１２，３１４，３１６、入口側壁部２４１、及びテーパ２６８がそれぞれ、本発明の「傾斜面」に相当する。後面２６が本発明の「第一面」に相当する。前面２５が本発明の「第二面」に相当する。
【０１２１】
（１）前面２５に設ける液体流路は、検体定量流路１１０及び試薬定量流路１３０，１５０の三つの流路に限定されず、一つの流路でも、複数の流路でもよい。後面２６に設ける液体流路は、検体定量流路２１０及び試薬定量流路２３０，２５０の三つの流路に限定されず、一つの流路でも、複数の流路でもよい。前面２５及び後面２６の一方のみに液体流路を設けてもよい。
【０１２２】
液体導入部３００が有する導入口は、検体導入口３０１，３０２及び試薬導入口３０３，３０４，３０５，３０６の六つの導入口に限定されない。一つの導入口が、二つ以上の液体流路に液体を供給してもよい。液体導入部３００が有する導入口は、前面２５に設けられてもよいし、前面２５及び後面２６の両方に設けられてもよい。
【０１２３】
（２）前面２５又は後面２６に設けられる液体流路の少なくとも一つが、検体定量流路１１０，２１０及び試薬定量流路１３０，１５０，２３０，２５０のいずれかの構成を備えればよい。例えば、前面２５に検体定量流路１１０、試薬定量流路１３０、及び検体導入口３０１が形成され、後面２６に試薬導入口３０３が形成された検査チップ２を想定する。この検査チップ２において、検体定量流路１１０は傾斜面３１２を介して検体６１が供給され、且つ、検体保持部１１１に狭窄部１６５を有してもよい。試薬定量流路１３０は、入口側壁部１４１に向かって傾斜する傾斜面２２２によって、キャピラリ４０３が位置決めされてもよい。
【０１２４】
（３）検体６１，８１は、血液に限定されない。検体６１，８１は、例えば、血漿、血球、骨髄、尿、膣組織、上皮組織、腫瘍、精液、唾液、又は食料品などの成分を含む液体でもよい。第一試薬６２，８２及び第二試薬６３，８３も、検体６１，８１及び検査目的に応じて適宜変更すればよい。検査チップ２は、シート２７，２８を備えていなくてもよい。例えば、液体流路１００，２００および液体導入部３００が、板材２０の内部に直接形成された検査チップ２を用いてもよい。
【符号の説明】
【０１２５】
２    検査チップ
２５    前面
２６    後面
６１，８１    検体
６２，８２    第一試薬
６３，８３    第二試薬
１１１，２１１    検体保持部
１１２，２１２    検体供給部
１２０，１４０，１６０，２２０，２４０，２６０    流路入口
１２１，１４１，１６１，２２１，２４１，２６１    入口側壁部
１３１，１５１，２３１，２５１    試薬保持部
１３２，１５２，２３２，２５２    試薬供給部
１６５    狭窄部
１９０，２９０    測定部
２２２，３１２，３１４，３１６    傾斜面
２６２    毛管部
２６３    接続流路
３０１，３０２    検体導入口
３０３，３０４，３０５，３０６    試薬導入口
４０１，４０２，４０３，４０４，４０５，４０６    キャピラリ
【図１】
2014167452.tif 000003
【図２】
2014167452.tif 000004
【図３】
2014167452.tif 000005
【図４】
2014167452.tif 000006
【図５】
2014167452.tif 000007
【図６】
2014167452.tif 000008
【図７】
2014167452.tif 000009
【図８】
2014167452.tif 000010
【図９】
2014167452.tif 000011
【図１０】
2014167452.tif 000012
【図１１】
2014167452.tif 000013